(57)【特許請求の範囲】
【請求項１】
軸筒の外周に、弾性体からなる筒状のグリップ部が装着されてなる筆記具において、
前記グリップ部の先端側には、前記軸筒の軸線方向に突出する突片が設けられ、
前記軸筒の先端側の外周面には、前記突片が載置される平坦面が形成され、
前記突片は、前記軸筒の先端部を覆うように装着された先口部材の内側まで延在していることを特徴とする筆記具。
【請求項２】
前記平坦面は、前記軸筒の前記外周面において、前記グリップ部に対応する位置まで前記軸線方向に延長されると共に、前記軸筒の周方向に等間隔で配置されていることを特徴とする請求項１記載の筆記具。
【請求項３】
二色成形によって、前記軸筒と前記グリップ部とを一体的に形成したことを特徴とする請求項１又は２記載の筆記具。
【請求項４】
前記突片は、前記先口部材によって前記軸筒の前記平坦面に押し付けられていることを特徴とする請求項１〜３のいずれか一項に記載の筆記具。
【発明の詳細な説明】
【技術分野】
【０００１】
本発明は、指の滑り止めとして利用されるグリップ部が設けられた筆記具に関するものである。
【背景技術】
【０００２】
従来、このような分野の技術として、特開２００５−４７２１９号公報がある。この公報に記載された筆記具には、握り部分にグリップ部が設けられており、このグリップ部によって指の滑りを止めたり、指に対する密着性を高めている。このことは、筆記具の使用感を向上させ、長時間の筆記作業の疲労感をも低減させている。弾性体からなるグリップ部の材質としては、指で押しても変形し難いものや、指で変形し易いものまで様々である。
【０００３】
【特許文献１】特開２００５−４７２１９号公報
【発明の開示】
【発明が解決しようとする課題】
【０００４】
握り部分に利用されるグリップ部が、弾性変形し難い材料から形成されている場合は、指の接触によって、グリップの先端のめくれ上がりや後退が起き難い。しかしながら、グリップ部が、弾性変形し易い軟質材から形成されている場合、指の接触によって、グリップの先端のめくれ上がりや後退が起き易く、このような事態が頻繁に起きると、グリップ部の先端が元に戻らず、グリップ部の外観や握り感を損失させてしまうといった問題点があった。
【０００５】
本発明は、グリップ部の先端のめくれ上がり現象、グリップ部の先端の後退現象を起き難くした筆記具を提供することを目的とする。
【課題を解決するための手段】
【０００６】
本発明に係る筆記具は、軸筒の外周に、弾性体からなる筒状のグリップ部が装着されてなる筆記具において、
グリップ部の先端側には、軸筒の軸線方向に突出する突片が設けられ、軸筒の先端側の外周面には、突片が載置される平坦面が形成され、突片は、軸筒の先端部を覆うように装着された先口部材の内側まで延在していることを特徴とする。
【０００７】
この筆記具においては、グリップ部の先端側に設けられた突片を、先口部材の内側まで延在させているので、指の引っ掛かりによって引き起こされるグリップ部の先端のめくれ上がり現象やグリップ部の後退現象が起き難くなる。このような現象は、グリップ部に弾性変形し易い軟質材が利用される場合に特に起き易いので、このような材質からなるグリップ部をもった筆記具には特に効果的である。
【０００８】
また、平坦面は、軸筒の外周面において、グリップ部に対応する位置まで軸線方向に延長されると共に、軸筒の周方向に等間隔で配置されていると好適である。
平坦面を、グリップ部に対応する位置まで延長させることで、グリップ部の裏面側にも平坦面が延在することになるので、平坦面の延長部分におけるグリップ部の肉厚を、隣接する平坦面の延長部分の間におけるグリップ部の肉厚より厚くすることができる。これにより、グリップ部の周方向において、グリップ部の握りの感触を変化させることができる。
【０００９】
また、二色成形によって、軸筒とグリップ部とを一体的に形成すると好適である。
このような構成を採用すると、軸筒とグリップ部との接着性や、軸部の平坦面と突片との接着性が向上し、弾性変形し易い軟質材でグリップ部を形成している場合であっても、グリップ部の先端のめくれ上がりやグリップ部の後退が起き難いといった優れた効果が発揮される。
【００１０】
また、突片は、先口部材によって軸筒の平坦面に押し付けられていると好適である。
この場合、指の引っ掛かりによって引き起こされるグリップ部の先端のめくれ上がり現象やグリップ部の後退現象が更に起き難くなり、突片の弾性変形に起因して、軸筒から先口部材が抜け難くなる。
【発明の効果】
【００１１】
本発明によれば、グリップ部の先端のめくれ上がり現象やグリップ部の先端の後退現象が起き難くなる。
【発明を実施するための最良の形態】
【００１２】
以下、図面を参照しつつ本発明に係る筆記具の好適な実施形態について詳細に説明する。なお、ペン先側を「前方側」として以下説明する。
【００１３】
［実施形態１］
図１に示すように、回転式多芯筆記具１は、前軸２ａと後軸２ｂとからなる軸筒２を有し、前軸２ａには、表面をメッキ処理した略円錐状の先口部材１９が装着され、後軸２ｂにはクリップ２ｃが一体に形成され、前軸２ａと後軸２ｂとは相対的に回転する。さらに、軸筒２の前軸２ａの外周には、弾性体からなる筒状のグリップ部３が装着されている。このグリップ部３は、弾性変形し易い軟質材(例えば熱可塑性エラストマー(ＴＰＥ))からなり、二色成形によって、前軸２ａとグリップ部３は一体的に形成されている。
【００１４】
軸筒２内には、２本のボールペン型リフィール（例えば、赤、黒のインクが入ったリフィール）４ａとシャープペンシル型リフィール４ｂとが収容されている。各リフィール４ａ，４ｂは、軸筒２内に収容された中駒６によって支持され、この中駒６は、前軸２ａに対して回転しないように連結されると共に、後軸２ｂに対して回転するように連結されている。
【００１５】
さらに、中駒６には、各リフィール４ａ，４ｂが差し込まれる３個の挿入孔６ａと、各挿入孔６ａから後方に向かって軸線Ｌ方向に延在するガイド溝６ｂとが形成されている。各ガイド溝６ｂ内では、各リフィール４ａ，４ｂの後端に固定されたスライド駒７が摺動する。そして、各ガイド溝６ｂ内には、リフィール４ａ，４ｂに巻回された圧縮バネ８が装填され、圧縮バネ８の一端は中駒６によって支持され、圧縮バネ８の他端はスライド駒７によって支持されている。
【００１６】
さらに、中駒６の後端には、筒状の駆動カム９を回転自在に支持する支軸部６ｃが形成されている。支軸部６ｃを中心に後軸２ｂと一緒に回転する駆動カム９は、内側で支軸部６ｃに回転自在に連結される円筒状の基部１０と、この基部１０の後端から突出して消しゴム１３が装填されると共に、キャップ５を保持する消しゴム収容部１１と、基部１０の前端から軸筒２の先端側に向けて突出するカム本体部１２とからなる。このカム本体部１２は、基部１０の端から爪状に突出すると共に、円筒を斜めに切断した形状をなし、カム本体部１２の輪郭に沿って山形のカム面１２ａが形成されている。
【００１７】
これに対して、圧縮バネ８の付勢力によって駆動カム９の従動部材として機能する各スライド駒７は、ガイド溝６ｂ内を摺動する摺動部１５と、摺動部１５から突出してリフィール４ａ，４ｂの後端に差し込まれるピン状のリフィール装填部１６と、摺動部１５に一体に形成されると共に、三角形状をなす従動部１７とからなる。従動部１７には、駆動カム９のカム面１２ａに沿って摺動するＶ字状の従動面１７ａが形成され、三角形状のカム本体部１２の先端には、従動部１７の頂部が入り込んで従動部１７を係止させるための凹部が形成されている。従って、後軸２ｂと一緒に駆動カム９が回転すると、カム本体部１２の凹部内にスライド駒７の頂部の何れかが選択的に入り込むので、後軸２ｂの回転によって、リフィール４ａ，４ｂの先端の何れかを軸筒２の先端から突出させることができる。
【００１８】
このような回転式多芯筆記具１において、軸筒２の前軸２ａの外周に装着されたグリップ部３は、弾性変形し易い軟質材(例えば熱可塑性エラストマー(ＴＰＥ))からなり、二色成形によって、前軸２ａとグリップ部３は一体的に形成されている。その結果、互いの接着性が向上するので、前軸２ａに対してグリップ部３が剥がれ難くなる。
【００１９】
図２及び図３に示すように、軸筒２の前軸２ａは、グリップ部３が装着される円筒状の前軸本体部２０と、後軸２ｂ内に装填されて、後軸２ｂに対して回転自在に連結されると共に、中駒６に対して回転しないように連結される円筒状の連結部２１と、金属製の装飾リング１８(図１参照)を装着させるために、連結部２１と前軸本体部２０との間に形成されたリング装着部２２と、金属メッキされた略円錐状の先口部材１９の内方に位置して、前軸本体部２０の前端から突出する略円錐状の拡張部２３とから構成されている。
【００２０】
軸筒２の先端部すなわち前軸２ａの拡張部２３の外周面には、軸線Ｌ方向に延在する平坦面Ｓが形成され、グリップ部３の先端側には、先口部材１９の内側まで軸線Ｌ方向に延在する突片３ａが一体的に設けられ、平坦面Ｓ上に突片３ａが二色成形によって接着されている。二色成形によって、平坦面Ｓと突片３ａとの接着性が向上するので、前軸２ａの平坦面Ｓに対してグリップ部３の突片３ａが剥がれ難くなっている。
【００２１】
なお、成形時に関して、一次側のゲートを平坦面Ｓの略中央に設け、二次側のゲートを突片３ａの略中央に設けることが好ましい。製品に関して、これらゲートの成形跡Ｇ１，Ｇ２は、先口部材１９によって隠すことができるので外観が良好になる。また、先口部材１９の内周面１９ａの後端部に設けられたリング状の凸部１９ｂ(図１参照)は、突片３ａに接触していない。
【００２２】
さらに、前軸２ａの拡張部２３及び突片３ａを覆うように先口部材１９が装着され、突片３ａは平坦面Ｓに接着させられている。その結果、指の引っ掛かりによって引き起こされるグリップ部３の先端３ｂのめくれ上がり現象やグリップ部３の先端３ｂの後退現象が起き難くなる。このような現象は、グリップ部３に弾性変形し易い軟質材(例えば熱可塑性エラストマー(ＴＰＥ))が利用される場合に特に起き易いので、このような材質のグリップ部３をもった筆記具には特に効果的である。
【００２３】
［実施形態２］
実施形態２に係る回転式多芯筆記具は、実施形態１と比較して前軸及びグリップ部の形状のみ相違し、実施形態１と同一の構成部分には同一符号を付し、その説明を省略する。
【００２４】
図５に示すように、回転式多芯筆記具３０において、軸筒３２の前軸３２ａの外周に装着されたグリップ部３３は、弾性変形し易い軟質材(例えば熱可塑性エラストマー(ＴＰＥ))からなり、二色成形によって、前軸３２ａとグリップ部３３は一体的に形成されている。その結果、互いの接着性が向上するので、前軸３２ａに対してグリップ部３３が剥がれ難くなる。
【００２５】
図６〜図９に示すように、軸筒３２の前軸３２ａは、グリップ部３３が装着される断面略６角形の筒からなる前軸本体部４０と、後軸２ｂ内に装填されて、後軸２ｂに対して回転自在に連結されると共に、中駒６に対して回転しないように連結される円筒状の連結部４１と、金属製の装飾リング１８(図５参照)を装着させるために、連結部４１と前軸本体部４０との間に形成されたリング装着部４２と、金属メッキされた略円錐状の先口部材１９の内方に位置して、前軸本体部４０の前端から突出する略円錐状の拡張部４３とから構成されている。
【００２６】
軸筒３２の先端部すなわち前軸３２ａの拡張部４３の外周面には、軸線Ｌ方向に延在する平坦面Ｓ１が形成され、平坦面Ｓ１は、拡張部４３の周方向で等間隔に３個配置され、グリップ部３３の先端側には、軸線Ｌ方向に延在する３個の突片３３ａが一体的に設けられ、各平坦面Ｓ１上にそれぞれの突片３３ａが二色成形によって接着されている。二色成形によって、平坦面Ｓ１と突片３３ａとの接着性が向上するので、前軸３２ａの平坦面Ｓ１に対してグリップ部３３の突片３３ａが剥がれ難くなっている。しかも、平坦面Ｓ１が周方向に等間隔で配置されているので、指の引っ掛かりによって引き起こされるグリップ部３３の先端３３ｂのめくれ上がり現象やグリップ部３３の先端３３ｂの後退現象が起き難くなっている。
【００２７】
さらに、前軸３２ａの拡張部４３及び突片３３ａを覆うように先口部材１９が装着され、突片３３ａは平坦面Ｓ１に接着させられている。その結果、指の引っ掛かりによって引き起こされるグリップ部３３の先端３３ｂのめくれ上がり現象やグリップ部３３の先端３３ｂの後退現象が一層起き難くなる。このような現象は、グリップ部３３に弾性変形し易い軟質材(例えば熱可塑性エラストマー(ＴＰＥ))が利用される場合に特に起き易いので、このような材質のグリップ部３３をもった筆記具には特に効果的である。
【００２８】
さらに、前軸本体部４０の外周面には、平坦面Ｓ１と連続して軸線Ｌ方向に延在する平坦面延長部Ｓ２が形成されている。平坦面Ｓ１は、平坦面延長部Ｓ２によって、グリップ部３３に対応する位置まで軸線Ｌ方向に延長され、平坦面延長部Ｓ２は、グリップ部３３の略全長に渡って延在している。
【００２９】
図９に示すように、断面円形のグリップ部３３を適用した場合、平坦面延長部Ｓ２上におけるグリップ部３３の肉厚Ｗ１を、平坦面延長部Ｓ２の間の円弧面Ｐにおけるグリップ部３３の肉厚Ｗ２より厚くすることができる。これにより、グリップ部３３の外径を大きくすることなく、グリップ部３３の周方向において、グリップ部３３の握りの感触を変化させることができる。
【００３０】
さらに、親指と人差し指と中指とでグリップ部３３を握ることを考慮して、平坦面延長部Ｓ２を、前軸３２ａの周方向に等間隔で３個配置させ、更には、円弧面Ｐの曲率とグリップ部３３の曲率を略同一して、この部分でグリップ３３の握りの感触が変化しないようにする。このような形状の前軸３２ａを採用すると、グリップ部３３を強く握る人は、各指を平坦面延長部Ｓ２の位置に置き、グリップ部３３を軽く握る人は、各指を円弧面Ｐの位置に置くことで、利用者の好みに応じた最適な筆記が可能になる。
【００３１】
本発明は、前述した実施形態に限定されないことは言うまでもない。例えば、図１０に示すように、他の実施形態に係る筆記具５０にあっては、先口部材１９の内周面１９ａの後端部に設けられたリング状の凸部１９ｂによって、突片３ａは平坦面Ｓに押し付けられている。この場合、指の引っ掛かりによって引き起こされるグリップ部３の先端のめくれ上がり現象やグリップ部３の後退現象が更に起き難くなり、突片３ａの弾性変形に起因して、軸筒２から先口部材１９が抜け難くなる。なお、第２実施形態についても同様の変更を行うことが可能である。また、本発明は、ノック式筆記具にも適用可能であり、単芯であっても多芯であっても適用可能である。
【図面の簡単な説明】
【００３２】
【図１】本発明に係る筆記具の第１の実施形態を示す断面図である。
【図２】第１の実施形態に適用される前軸を示す斜視図である。
【図３】先口部材を前軸から外した状態を示す斜視図である。
【図４】図１のＩＶ−ＩＶ線に沿う断面図である。
【図５】本発明に係る筆記具の第２の実施形態を示す断面図である。
【図６】第２の実施形態に適用される前軸を示す斜視図である。
【図７】先口部材を前軸から外した状態を示す斜視図である。
【図８】図５のＶIII−ＶIII線に沿う断面図である。
【図９】図５のＩＸ−ＩＸ線に沿う断面図である。
【図１０】本発明に係る筆記具の他の実施形態を示す断面図である。
【符号の説明】
【００３３】
１，３０，５０…筆記具、２，３２…軸筒、２ａ，３２ａ…前軸、２ｂ…後軸、３，３３…グリップ部、３ａ，３３ａ…突片、１９…先口部材、２３，４３…拡張部(軸筒の先端部)、Ｓ，Ｓ１…平坦面、Ｓ２…平坦面延長部、Ｌ…軸線。
【図１】
0005022260.tif 000002
【図２】
0005022260.tif 000003
【図３】
0005022260.tif 000004
【図４】
0005022260.tif 000005
【図５】
0005022260.tif 000006
【図６】
0005022260.tif 000007
【図７】
0005022260.tif 000008
【図８】
0005022260.tif 000009
【図９】
0005022260.tif 000010
【図１０】
0005022260.tif 000011